(57)【要約】【課題】  主に子供が発熱や病気等で伴う嘔吐症状において、簡単に後処理を行う事ができる嘔吐補助マスクを提供する。【解決手段】  本発明に係る嘔吐補助マスク１は、少なくとも着用者の口及び鼻を覆うマスクシート部２と、マスクシート部２の口を覆う部分から前方下方向に突出した袋部３と、マスクシート２の両側から延出して形成され、使用者の耳に引っ掛ける事を目的とした、一対の耳掛け部４と、マスクシート部２の両側、又は耳掛け部４から延出して形成され、後頭部で固定する後頭部固定紐６を備え、マスクシート部２は、柔軟性かつ伸縮性があり、通気性が良く、袋部３は、水分を通し難い材質によって構成される。【選択図】図３
2016087382.tif 000002
【特許請求の範囲】
【請求項１】
一対のマスクシート部及び袋部によって形成された嘔吐補助マスクにおいて、少なくとも着用者の口及び鼻を覆うマスクシート部と、
前記マスクシート部の口を覆う部分から前方下方向に突出した袋部と、
前記マスクシート部の両側から延出して形成され、使用者の耳に引っ掛ける事を目的とした、耳掛け部と、マスクシート部の両側、又は耳掛け部から延出して形成され、後頭部で固定する後頭部固定紐と、
を備え、前記マスクシート部は、柔軟性かつ伸縮性があり、通気性が良く、
前記袋部は、水分を通し難い素材によって構成される事を特徴とする嘔吐補助マスク。
【請求項２】
前記マスクシート部及び袋部は、ＰＨが中性から酸性に変化した時に、色彩が変化する事を特徴とする請求項１に記載の嘔吐補助マスク。
【請求項３】
前記マスクシート部及び袋部は、温度の変化により、色彩が変化する事を特徴とする請求項１に記載の嘔吐補助マスク。
【請求項４】
前記マスクシート部及び袋部は、水分が付着する事で、色彩が変化する事を特徴とする請求項１に記載の嘔吐補助マスク。
【発明の詳細な説明】
【技術分野】
【０００１】  本発明は、吐瀉物を受け止め、簡単に後処理を行う事ができるマスクに関するものである。
【背景技術】
【０００２】  主に発熱や病気等で体調が悪くなった場合、嘔吐の症状が見られる。特に子供が嘔吐する際には、突発的な物が多く、周囲を汚す事が多々ある。また、体調不良の時は子供を病院に連れて行く時といったように、車の運転などで手が離せない事も多い上、子供もぐったりしている為、嘔吐用の袋を用意してもうまく袋に吐けないことがある。【０００３】  従来、突発的な嘔吐に対応する為に、嘔吐物収容マスクがあるが、嘔吐に対して重点を置いている為、鼻の周りは隙間があいている。子供が風邪などの病気で嘔吐する場合、親が病院に連れて行く事が考えられるが、病院において他の人に感染させる事や、他の人からの感染を防ぐ構造ではない。また、マスク本体と吐瀉物受け止め袋を接合させたものであるが、この種のマスクに際しては、シンプルで作製し易い構造などが要請される。（たとえば、特許文献１）。
【先行技術文献】
【特許文献】
【０００４】
【特許文献１】  特開２０１１−８３３１７
【発明の概要】
【発明が解決しようとする課題】
【０００５】  本発明は上記問題点に鑑みてなされたもので、病原菌を侵入させず、構造を簡単にしてコストを下げ、かつ突発的な嘔吐に対応でき、外観からも吐いたことがわかる嘔吐補助マスクを課題とする。【０００６】  上記課題を達成するため、各請求項に記載の発明が構成される。【０００７】  本発明にかかる嘔吐補助マスクは、着用者の顔に装着されるマスクであり、一対のマスクシート部と、袋部と、耳掛け部と、耳掛け部に設けられた開口部と、後頭部固定紐から構成され、マスクシート部と、袋部における、マスクシート接合部及び、袋接合部で接合されている。嘔吐補助マスクは、一回ないし数回使用を目安とした使い捨てタイプのものであってもよいし、或いは洗濯などを行ったうえで繰り返し使用することが可能なタイプのものであってもよいが、嘔吐した場合は速やかに廃棄を行うか、消毒や洗濯を行うことが望ましい。なお、嘔吐補助マスクは、主に子供が病気になった場合を想定しているが、乗物酔いや、大人向けのサイズとして、飲酒や病気による嘔吐の対策として使用しても問題ない。【０００８】  嘔吐補助マスクは、不織布からなる一対のマスクシート部と、袋部を平面状に接合することにより形成され、着用時には立体形状となるものである。マスクシート部は、使用者の口及び鼻を覆う部分とされ、口元に開いた空間から前方下方向に突出した袋部をもつ。なお、袋部には吐瀉物が顎を伝い漏れることを想定し、顎を覆う、顎覆い部を設定した。一対の耳掛け部は、マスクシート部の両側から延出して、着用者の耳に引っ掛ける開口部を持つ。マスクシート部は、通気性が良く、柔軟かつ伸縮性があり、肌触りのよい素材とし、袋部はさらに水分を通し難い素材が望ましい。耳掛け部は、耳に過度な負荷をかけないように、マスクシート部よりも柔軟性の良い素材を用いて構成されるものが好ましく、嘔吐時には耳の負担を軽減させる事と、嘔吐時の勢いで耳掛け部が耳から外れる事を防ぐ為、耳に掛けるだけでなく、後頭部で固定する後頭部固定紐を有した。後頭部固定紐の後頭部への固定方法は、後頭部に後頭部固定紐を結んで取付けてもよいし、後頭部へ引っ掛ける構造としてもよく、固定方法は特に限定しない。なお、マスクシート部と袋部、耳掛け部、後頭部固定紐はそれぞれ別体構造であってもよいし、一体構造としても問題はない。【０００９】  また、嘔吐したことが外観からもわかるように、嘔吐時は、嘔吐補助マスクが色彩変化するものとした。例として、ＰＨ変化によるものや、温度変化、または水分によるものを挙げるが、方法についての限定はしない。
【発明の効果】
【００１０】  本発明によれば、車酔いによる嘔吐や、通院前の身支度、通院時の車中といった、親にとって手が離せない時や、親が子供から目を離した時の突発的な嘔吐に対しても、周囲を汚すことなく、確実に吐瀉物を受け止めることができる。また、少量の吐瀉物に対しても外観の色彩変化により、嘔吐がわかる為、嘔吐に気付かずに放置することなく、処置する事が可能となる。
【図面の簡単な説明】
【００１１】
【図１】  本発明の一実施形態の嘔吐補助マスクの平面状態を示す図である。
【図２】  本発明の一実施形態の嘔吐補助マスクにおいて、一対のシート２枚により作製した場合の平面状態を示す図である。
【図３】  本実施形態の嘔吐補助マスクの着用状態における側面図である。
【発明を実施するための形態】
【００１２】  本発明の嘔吐補助マスクの実施形態について、図１〜図２を参照しながら説明する。ここで、図１は、本発明の一実施形態の嘔吐補助マスクの平面状態を示す図であり、図２は、本発明の一実施形態の嘔吐補助マスクにおいて、一対のシート２枚により作製した場合の平面状態を示す図である。
【００１３】  図１に示すように、本発明の実施形態に係る嘔吐補助マスク１は、不織布で形成されている。嘔吐補助マスク１は、マスクシート部２と、マスクシート部２から前方下方向に突出した袋部３と、前記マスクシート部２の両側から延出して形成され、着用者の耳に引っ掛ける事を目的とした耳掛け部４をもつ。マスクシート部２と、袋部３と、耳掛け部４は、接着剤や、溶着、ミシン等で接合される。耳掛け部４は、開口部５をもつ輪状の形となり、前記マスクシート部２の両側、又は耳掛け部４から延出して形成された後頭部固定紐６をもつ。なお、材質はポリプロピレン、ポリエステルなどの合成繊維から成る不織布を材料として製造したが、これに限らず、ガーゼなど、他の素材を使って製造するものであってもよい。
【００１４】  マスクシート部２と袋部３は、口及び鼻を覆う部位として構成される。この一対のマスクシート部２と袋部３は、マスクシート接合部２ａ及び袋接合部３ａで、熱溶着などにより接合されている。マスクシート部２においては通気性が良く、柔軟かつ伸縮性があり、肌触りのよい素材が好ましい。
【００１５】  マスクシート部２から前方下方向に突出した袋部３は、吐瀉物を収容する為、袋状として成形され、口元に開いた空間から前方下方向に突出しており、吐瀉物が顎を伝い漏れることを防ぐ為、顎も覆う形状として、顎覆い部３ｂを設定した。袋部３は、吐瀉物を収容する為、水分を通さない素材が好ましいが、嘔吐後も長時間着用する為のものではなく、嘔吐後は速やかに嘔吐補助マスク１を外して顔を拭いて、交換することを想定している。その為、マスクシート部２に使用する不織布の通気孔を細かくした素材でもよい。なお、吐瀉物の飛散防止における応急処置用のマスクとして、吐瀉物が垂れたり、飛散しない程度の素材であれば特に限定はしない。
【００１６】  一対の耳掛け部４は、マスクシート部２の両側から延出して、使用者の耳に引っ掛ける部分とされ、開口部５に耳を通すことで、装着する。耳掛け部４は、耳に過度な負荷をかけないように、マスクシート部２よりも柔軟性の良い素材を用いて構成されるものが好ましい。なお、耳の負担を軽減させる為、耳に掛けるだけでなく、マスクシート部２の両側、又は耳掛け部４から延出して形成され、後頭部で固定する後頭部固定紐６を有した。後頭部固定紐６は、嘔吐した場合に、突発的に袋部３に吐瀉物が入ることによる重さの為、耳にかかる負荷の軽減や、耳から耳掛け部４が外れることを想定して構成した。なお、後頭部固定紐６の頭部への固定方法は後頭部に後頭部固定紐６を結んで取付けてもよいし、後頭部へ引っ掛ける構造としてもよく、固定方法は特に限定しない。
【００１７】  図２に示すように、本発明の実施形態に係る嘔吐補助マスク１は、一対のマスクシート部２により、形成されている。図１と同様に嘔吐による飛散を防ぐものであるが、一対のマスクシート部２をマスクシート接合部２ａにより接合することで、マスクシート部２と、袋部３と、耳掛け部４と、後頭部固定紐６を一体状にさせたものであってもよい。なお、マスクシート部２と、袋部３を一体状とする際、吐瀉物を外に漏らさず、通気性も備えたものとする必要がある。嘔吐補助マスク１は、嘔吐後も長時間着用する為のものではなく、嘔吐後は速やかに嘔吐補助マスク１を外して顔を拭く等の処置を行い、交換することを想定している為、マスクシート部２と袋部３から成る素材は、通気性を確保したものであって、嘔吐時においては、吐瀉物が垂れたり飛散したりせず、滲む程度のものであれば問題ない為、息苦しくない程度に不織布の通気孔を小さくしたものとすれば問題ない。
【００１８】  図１及び図２に示すように、本発明の一実施形態の嘔吐補助マスク１は、複数の不織布シートを重ね合わせて積層したり、突き合わせて接合した構成のものでもよいし、一体状に形成された、継ぎ目のない不織布シートで構成されたものであってもよい。
【００１９】  次に、図３を用いて、使用方法及び効果についての説明を行う。ここで、図３は、本実施形態の嘔吐補助マスクの着用状態における側面図である。
【００２０】  図３に示すように、嘔吐補助マスク１は、１回ないし数回使用することを想定した使い捨てマスクとして構成され、一般的なマスクと同様に、折り畳められた左右のシートにおける、耳掛け部４を開き、両耳に掛けて着用する。この時、袋部３における顎覆い部３ｂを顎にかけることで、袋部３の開口部分が口元に位置され、嘔吐補助マスク１が立体状となり装着される。なお、後頭部固定紐６を後頭部へ固定することで、耳への負担を軽減し、嘔吐時に耳掛け部４が外れる事を防ぐ構造とした。嘔吐補助マスク１は、子供の体調不良時などに使用され、例えば、子供を病院へ連れて行く際、親が着替えをしたり、子供の着替えやタオルなどを用意する時、子供から目を離す場合がある。また、病院へ車で向かう場合は、運転中の為、子供が嘔吐しても対応できない事がある。小さい子供や、子供がぐったりしている場合は、ビニール袋といった受け止め用の袋を渡しても、うまく袋に受け止める事ができない場合も多々ある。この為、子供から目を離したり、今手が離せないといった、今吐いて欲しくないという状況に対応できるものとした。また、病院や人が多くいる場所では、病原菌を他の人にうっしてしまったり、他の病原菌をうつされる場合もあるが、不織布からなる本マスクは、風邪のウイルスのバリア機能も備えている。
【００２１】  本発明の実施形態に係る嘔吐補助マスク１は、衛生面から、嘔吐した場合はできるだけ早く、口を拭き、マスクを交換するなどの処置を想定している。しかし、体調不良の子供は、嘔吐しても自分から伝える気力がない場合もあるし、数回吐いた後や、食事を十分に摂る事ができない時など、少量しか嘔吐しない場合がある。この時は外観からは嘔吐した事がわかり難い為、ＰＨや温度、水分により外観からも嘔吐がわかる構造とした。これは、嘔吐補助マスク１にかかった吐瀉物の酸性を利用して、中性から酸性に変化した場合のＰＨ値による嘔吐補助マスク１の色彩を変化させたり、吐瀉物が嘔吐補助マスク１にかかった事による温度変化を利用して、嘔吐補助マスク１の色彩を変化させたり、或いは吐瀉物に含まれる水分が嘔吐補助マスク１に付着することから成る、嘔吐補助マスク１の色彩変化を利用しているが、外観から嘔吐した事がわかる構造であれば、特に限定はしない。
【００２２】  本発明の嘔吐補助マスク１は、主に子供の病気による嘔吐対策として用いられるが、乗物酔い対策としても使用でき、サイズを大きくする事で、大人用として、病気や、アルコール摂取による嘔吐対策としても使用することができる。また、集団生活の場においては、嘔吐の飛散による二次感染を防ぎ、服や床への飛散による汚染も防ぐことができるので、掃除や洗濯の手間も軽減することができる。
【００２３】  今回開示された実施の形態は、全ての点で例示であって、制限的なものではないと考えられるべきである。本発明の範囲は、上記した説明ではなくて、特許請求の範囲によって示され、特許請求の範囲と均等の意味、及び範囲内での全ての変更が含まれることが意図される。
【符号の説明】
【００２４】１    嘔吐補助マスク
２    マスクシート部
２ａ  マスクシート接合部
３    袋部
３ａ  袋接合部
３ｂ  顎覆い部
４    耳掛け部
５    開口部
６    後頭部固定紐
【図１】
2016087382.tif 000003
【図２】
2016087382.tif 000004
【図３】
2016087382.tif 000005